(57)【要約】椅子型体毛および足乾燥装置（１０）は、上部、中間部、下部を有する直立ベース部（２０）と中空内部とを備えた座席である。座部（３０）はベース部（２０）の上に配置されている。座部（３０）には少なくとも１つの空気吹き出し口（３４、３６）がベース部の中空内部と連通して画成されている。ベース部（２０）の下部には少なくとも１つの空気流路（４２、４０）がベース部の中空内部と連通して画成されている。ベース部（２０）の中空内部内に格納された電動ファンは空気流路（４２、４０）を通して中空内部へと空気を引き込み、空気吹き出し口（３４、３６）を通して中空内部から空気を排出する。空気吹き出し口から排出された空気はユーザの生殖器および臀部を乾燥させ、一方、空気流路に引き込まれた空気はユーザの足およびつま先を乾燥させる。【選択図】図１
2008513104.tif 000002
【特許請求の範囲】
【請求項１】
中空内部を有する、上部、中間部、下部を有する直立ベース部と、
該ベース部の中空内部と連通する少なくとも１つの空気吹き出し口が画成され、該ベース部の上部上に配置された座部と、
それぞれが該ベース部の中空内部と連通している、該ベース部の下部に画成された少なくとも１つの空気流路と、
該少なくとも１つの空気流路を通して中空内部へと空気を引き込み、該少なくとも１つの空気吹き出し口を通して中空内部から空気を排出するための、該ベース部の中空内部内に配置された電動ファン
とを含むことを特徴とする、椅子型体毛および足乾燥装置。
【請求項２】
該座部が周縁部と中央部とを有しており、周縁部が中央部を取り囲んでいること特徴とする、請求項１に記載の椅子型体毛および足乾燥装置。
【請求項３】
該少なくとも１つの空気吹き出し口が、該中央部内に画成された複数の空気吹き出し口を含むことを特徴とする、請求項２に記載の椅子型体毛および足乾燥装置。
【請求項４】
該少なくとも１つの空気吹き出し口が、該周縁部内に画成された少なくとも１つの空気吹き出し口を含むことを特徴とする、請求項２に記載の椅子型体毛および足乾燥装置。
【請求項５】
該中央部が凹部であることを特徴とする、請求項２に記載の椅子型体毛および足乾燥装置。
【請求項６】
該ベース部に画成された、少なくとも１つのフットレスト領域をさらに含むことを特徴とする、請求項１に記載の椅子型体毛および足乾燥装置。
【請求項７】
該少なくとも１つのフットレスト領域のそれぞれが、該少なくとも１つの空気流路の少なくとも１つと一致して位置されていることを特徴とする、請求項６に記載の椅子型体毛および足乾燥装置。
【請求項８】
該ベース部が開放下部と、開放下部を取り囲む下端とを有することを特徴とする、請求項１に記載の椅子型体毛および足乾燥装置。
【請求項９】
該下端に沿って配置されたＯリングをさらに含むことを特徴とする、請求項８に記載の椅子型体毛および足乾燥装置。
【請求項１０】
該座部から上方に延びる背もたれをさらに含むことを特徴とする、請求項１に記載の体毛および足乾燥装置。
【請求項１１】
中空内部を有する、上部、中間部、下部を有する直立ベース部と、
中央部と周縁部とを有し、周縁部は中央部を取り囲んでおり、中央部が該ベース部の中間内部と連通して画成された少なくとも１つの空気吹き出し口を有する、該ベース部の上部上に配置された座部と、
それぞれが該ベース部の中空内部と連通している、該ベース部の下部に画成された少なくとも１つの空気流路と、
該少なくとも１つの空気流路を通して中空内部へと空気を引き込み、該少なくとも１つの空気吹き出し口を通して中空内部から空気を排出するための、該ベース部の中空内部内に配置された電動ファン
とを含むことを特徴とする、椅子型体毛および足乾燥装置。
【請求項１２】
該中央部が凹部であることを特徴とする、請求項１1に記載の椅子型体毛および足乾燥装置。
【請求項１３】
該ベース部に画成された、少なくとも１つのフットレスト領域をさらに含むことを特徴とする、請求項１１に記載の椅子型体毛および足乾燥装置。
【請求項１４】
該少なくとも１つのフットレスト領域のそれぞれが、該少なくとも１つの空気吹き出し口の少なくとも１つと一致して位置されていることを特徴とする、請求項１３に記載の椅子型体毛および足乾燥装置。
【請求項１５】
該ベース部が開放下部と、開放下部を取り囲む下端とを有することを特徴とする、請求項１１に記載の椅子型体毛および足乾燥装置。
【請求項１６】
該下端に沿って配置されたＯリングをさらに含むことを特徴とする、請求項１５に記載の椅子型体毛および足乾燥装置。
【請求項１７】
上部、中間部、下部を有し、中空内部、開放下部、開放下部を取り囲む下端を有する直立ベース部と、
該下端に沿って配置されたＯリングと、
中央部と周縁部とを有し、周縁部が中央部を取り囲んでおり、中央部が該ベース部の中空内部と連通して画成された少なくとも１つの空気吹き出し口を有する、該ベース部の上部上に配置された座部と、
それぞれが該ベース部の中空内部と連通している、該ベース部の下部に画成された少なくとも１つの空気流路
とを含むことを特徴とする、椅子型体毛および足乾燥装置。
【請求項１８】
該ベース部の中空内部内に配置された電動ファンをさらに含み、電動ファンが該少なくとも１つの空気流路を通して中空内部へと空気を引き込み、該少なくとも１つの空気吹き出し口を通して中空内部から空気を排出することを特徴とする、請求項１７に記載の椅子型体毛および足乾燥装置。
【請求項１９】
該中央部が凹部であることを特徴とする、請求項１７に記載の椅子型体毛および足乾燥装置。
【請求項２０】
該ベース部に画成された少なくとも１つのフットレスト領域をさらに含み、該少なくとも１つのフットレスト領域のそれぞれが、該少なくとも１つの空気吹き出し口の少なくとも１つと一致して位置されていることを特徴とする、請求項１７に記載の椅子型体毛および足乾燥装置。
【発明の詳細な説明】
【技術分野】
【０００１】
本発明は人体乾燥装置に関するものである。さらに詳細には、本発明は空気を循環させて人間のつま先や湿潤しがちな身体領域、特には生殖器および臀部の体毛を乾燥させる、椅子型体毛および足乾燥装置に関するものである。
【背景技術】
【０００２】
湿潤した皮膚は人体由来の真菌類、酵母、細菌の繁殖を促進し、皮膚炎、発疹、その他の不快な症状をしばしば引き起こす。身体の特定の領域は特に、湿気と関連した問題にさらされやすい。つま先の間、生殖器の周囲、臀裂の周囲または内側の臀部は最も湿潤し、それに付随して人体由来の真菌類、酵母、細菌が繁殖する場所である。
【０００３】
皮膚が湿潤する一般的な原因の一つは入浴である。定期的な入浴は適切な個人衛生には必要なものであるが、シャワーまたは風呂の後に身体を乾燥させるという作業は不完全に終わることが多く、身体の一部が湿ったまたは濡れたままになる。つま先の間、生殖器の周囲、臀裂の周囲または内側の臀部は従来のバスタオルでは完全に乾燥させることが難しい。臀裂の周囲または内側の臀部はもとよりつま先の間の領域にはバスタオルが十分届かず、生殖器周辺の体毛は水を含みがちという問題がある。加えて、熱いシャワーまたは風呂の後の発汗という自然な傾向により、タオルで十分に乾燥させたとしても、汗という形ですぐに水分が再び現れる場合がある。
【０００４】
身体を乾燥させるために、空気乾燥装置が使用されてきた。装置の前またはその中に人が立っている最中に身体に空気を吹き付けるために数多くの空気乾燥装置が発明された。身体の湿った表面に吹き付けられた空気は皮膚を乾燥させるのに効果的である。加えて、皮膚に吹き付けた空気には身体を冷却する効果もあることが考えられ、これにより熱いシャワーや風呂の後の発汗が抑制される。しかしながら、身体全般の乾燥を目的としたこういった装置はつま先の間、生殖器の周囲、臀裂の周囲または内側の臀部における特殊な需要に十分に対応するものではない。
【０００５】
生殖器と臀部の洗浄の双方を目的として、ビデ装置と共に空気乾燥装置がトイレに組み込まれた。しかしながら、こういった装置は身体の生殖器と臀部のみへの使用に限られている。同様に、足を空気乾燥するための特殊な装置は身体の残りの部分に対しては役に立たない。
【０００６】
どの上記の装置も、単体または組み合わせても、本願で請求の本発明を記載するものには見えない。従って、つま先の間、生殖器の周囲、臀裂の周囲または内側の臀部を空気乾燥するための椅子型体毛および足乾燥装置が所望される。
【発明の開示】
【０００７】
本開示は椅子型体毛および足乾燥装置に関するものである。椅子は上部、中間部、下部を有する直立ベース部を含む。ベース部は中空の内部を有する。ベース部上部の上には座部が配置される。座部は座部内に画成された空気吹き出し口を少なくとも１つ有する。空気吹き出し口はベース部の中空内部と連通している。少なくとも１つの空気流路がベース部の下部に画成されている。各空気流路はベース部の中空内部と連通している。ベース部の中空内部には電動ファンが配置されている。電動ファンは空気流路を通して空気を中空内部へと引き込み、空気吹き出し口を通して中空内部から空気を排出するためのものである。
【０００８】
本開示の一部もまた椅子型体毛および足乾燥装置である。椅子は上部、中間部、下部を有する直立ベース部を有する。ベース部は中空の内部を有する。ベース部上部の上には座部が配置される。座部は中央部と周縁部とを有する。周縁部は中央部を取り囲んでいる。中央部内には少なくとも１つの空気吹き出し口が画成されている。空気吹き出し口はベース部の中空内部と連通している。ベース部の下部には少なくとも１つの空気流路が画成されている。各空気流路はベース部の中空内部と連通している。電動ファンがベース部の中空内部に配置されている。電動ファンは空気流路を通して空気を中空内部へと引き込み、空気吹き出し口を通して中空内部から空気を排出するためのものである。
【０００９】
本開示の一部もまた椅子型体毛および足乾燥装置である。椅子は上部、中間部、下部を有する直立ベース部を含む。ベース部は中空内部、開放下部、開放下部を取り囲む下端とを有する。Ｏ−リングが下端に沿って取り付けられている。ベース部上部の上には座部が配置されている。座部は中央部と周縁部とを有する。周縁部は中央部を取り囲んでいる。少なくとも１つの空気吹き出し口が中央部に画成されている。空気吹き出し口はベース部の中空内部と連通している。少なくとも１つの空気流路がベース部の下部に画成されている。各空気流路はベース部の中空内部と連通している。
【発明を実施するための最良の形態】
【００１０】
椅子型体毛および足乾燥装置は、主につま先の間を含むつま先、および湿潤しがちな身体領域の皮膚および体毛、特には臀裂の周囲または内側の領域を含む生殖器および臀部を空気乾燥するものである。椅子型体毛および足乾燥装置は概して中空である内部を有するベース部を有し、中空内部には電動ファンが格納されている。ベース部の上には座部が配置されている。座部は周縁部と、周縁部の中央に位置する、着席したユーザの男性生殖器を座部と最小限の接触でもって収納する凹部とを有する。座部の凹部には複数の通気孔が画成されている。この複数の通気孔には、好ましくは、凹部の中央に位置する大通気孔、中央の大通気孔を取り囲む中通気孔、凹部の周縁を取り囲む小通気孔にわたる様々な直径の通気孔が含まれる。
【００１１】
ベース部の下部にはフットレスト領域が画成されている。フットレスト領域内には、ユーザのつま先およびつま先の間を乾燥させるための長穴通風口、ユーザの足全体に乾燥用空気流をさらに送るための、概して足型の輪郭に分散された複数の小通風口を含む通風口がある。
【００１２】
電動ファンは足支持体の長穴通風口を通して空気を引き込み、座部の凹部の通気孔から空気を吹き出す。従って、ユーザのつま先、特にはつま先の間の領域は椅子型体毛および足乾燥装置内に空気が引き込まれるにつれ空気乾燥され、一方、ユーザの生殖器の周囲、臀裂の周囲または内側の臀部は、椅子型体毛および足乾燥装置から排出される空気によって空気乾燥される。
【００１３】
従って、椅子型体毛および足乾燥装置は、湿潤しやすく十分に乾燥しにくく、それゆえに真菌類や細菌に感染しやすい身体領域を空気乾燥させるものである。乾燥度を向上させてもこういった感染が十分に治癒しない場合もあるが、感染するリスクを低減することには非常に役立つ。
【００１４】
図１を参照すると、椅子型体毛および足乾燥装置の一態様が示されており、図面においては概して１０で表されている。椅子型体毛および足乾燥装置１０は、直立ベース部２０の上に配置された座部３０を備えており、これにより人間は椅子型体毛および足乾燥装置１０上に快適に座ることができる。直立ベース部２０は中空内部を有しており、概して、その上は座部３０で覆われており、底部は開放されている。
【００１５】
複数の開口部または空気吹き出し口３４が座部３０の中央に画成されており、ベース部２０内の電動ファンによって送風された空気を着席したユーザの生殖器領域、生殖器周辺の体毛、および臀部に方向付ける。これらの身体領域に向けられた空気流により、タオル乾燥させる場合よりもさらに徹底的かつ完全にこれらの身体領域が乾燥させられる。座部３０の背側近辺には、長穴状の追加空気吹き出し口３６が画成されている。空気吹き出し口３６から排出された空気は着席しているユーザの腰に方向付けられ、ウェストの乾燥を促進する。
【００１６】
ベース部２０の下部近辺の前面には空気流路４２がベース２０を貫通して画成されており、空気流路４２は典型的な人間の足のつま先とほぼ同じ幅を有する長穴である。図の態様においては一対の空気流路４２が示されており、ユーザの足のそれぞれにつき１つの空気流路４２である。別の構成の空気流路４２を用いてもよく、ユーザの両足に対応するに十分な幅の単一の空気流路４２、あるいは各足あたり複数個の小空気流路４２を含む。追加の空気流路４０は足全体の乾燥範囲を向上させるために足の輪郭に配列された小さな開口部である。着席したユーザは、つま先が空気流路４２に重なり、足の残りの部分が空気流路４０に重なるようにと足をベース部２０上に載せる。ベース部２０内の電動ファンが空気吹き出し口３４、３６から空気を吹き出すにつれて、空気は空気流路からベース部２０内に引き込まれる。よって、空気は着席したユーザのつま先および足の近辺に引き込まれ、つま先と足、特にはつま先の間の領域を乾燥させる。
【００１７】
ベース部２０にはフットレスト領域４１が画成されており、フットレスト領域４１はユーザが足を快適に載せて脚を定置させるための床部４３を有する凹部である。空気流路４０および４２はフットレスト領域４１の床部４３を貫通して形成されている。フットレスト領域４１はつま先を最も上手く乾燥させるために、椅子型体毛および足乾燥装置１０上における足の正しい載せ位置にユーザを誘導するものである。図示した単一のフットレスト領域４１の代わりに、片足につき一つづつの一対の小さめのフットレスト部を用いてもよい。
【００１８】
快適性のために背もたれ６０が設けられている。背もたれ６０は座部３０またはベース部２０と一体的に形成されていても、座部３０またはベース部２０のいずれかに取り外し可能に取り付けられていてもよい。背もたれ６０を貫通する窓６２により、ユーザの背中の領域における空気の循環が改善され、背中における良好な空気乾燥が促進される。
【００１９】
ベース部２０の片側または両側にはポケット６４を形成してもよい。各ポケット６４は付属品、雑誌その他を収容するために使用してもよい。加えて、ベース部２０内の電動ファンに電力を供給する電源コード６８をポケット６４内に収容してもよい。ベース部２０の両サイドには開口部６６が貫通して形成されており、開口部６６が幾分隠れるようにポケット６４内に位置させてもよい。電気コードはベース部２０から開口部６６の１つを通って延びている。電源コード６８は電気コンセントに最も便利な側のベース部２０の開口部６６の１つを通って延びている。使用しない開口部６６は空気の流入を防ぐためにテープ等で覆い、椅子型体毛および足乾燥装置１０を流れる乾燥用空気の流れを改善してもよい。
【００２０】
次に図１−３を参照すると、ベース部２０が広がった下部２６、比較的狭い中間部２４、広がった上部２２とを有する、砂時計に似た形状を有していることが見て取れる。ベース部２０は下端２８によって取り囲まれた開放下部２９を有している（図５および６を参照のこと）。ベース部２０の広がった上部２２の上には座部３０が配置されている。座部３０の中央領域３２は、着席したユーザの男性生殖器を座部３０と最小限の接触でもって収納するために凹状の窪みに形成されている。座部３０における、中央領域３２を取り囲む部分は座部３０の周縁部３１と称される。空気吹き出し口３４は座部３０の中央領域３２に局限されており、一方、空気吹き出し口３６は座部３０の周縁部３１の後部外周に沿って位置されている。
【００２１】
ベース部２０の下部２６の前面には、空気流路４０、４２、および一致するフットレスト領域４１が画成されている。ベース部２０の下部２６の前面は、空気流路４０、４２の上にユーザがつま先と足を快適に載せられるように前方に向かって輪郭を描く、あるいは張り出していてもよい。
【００２２】
ベース部２０の下端２８に沿って、ゴム製Ｏリング４４が配置されている。Ｏリング４４によりベース部２０の下端２８と床部との間が気密となり、椅子型体毛および足乾燥装置１０を凹凸のある床面上で使用する場合に起こり得るように下端２８と床との間の隙間から空気が引き込まれるのではなく、空気流路４０、４２を通したベース部２０への空気引き込みが確保される。加えて、Ｏリング４４により、床面は椅子型体毛および足乾燥装置１０による損傷や磨耗から保護される。
【００２３】
ベース部２０の下部２６は、幅広の隆条領域７２を画成する複数（図の態様においては４つ）の小さな谷部７０によって強化されており、ベース部２０の下部２６は四葉のクローバーまたは花びら模様に似た外観となっている。様式化された外観の形成に加えて、谷部７０および隆条領域７２は体重による力を分散させ、ベース部２０に小さな亀裂が発生することを最小限にとどめるのに役立つ。
【００２４】
次に図４に移るが、空気吹き出し口３４、３６の配列が最もよく示されている。座部３０の中央領域３２内に画成された空気吹き出し口３４は、座部３０の中央領域３２の中央に位置された大空気吹き出し口３４Ｃを含む。大空気吹き出し口３４Ｃを取り囲むのは中空気吹き出し口３４Ａであり、中空気吹き出し口３４Ａは座部３０の中央領域３２の外周に位置する小空気吹き出し口３４Ａによって取り囲まれている。空気吹き出し口３４のサイズが座部３０の中央領域３２の中央から外周に向かって減少していることは、着席領域の中央部に集中する空気流を、ユーザの身体における生殖器および臀部へ方向付けることに役立つ。空気吹き出し口３６は、乾燥空気流を概してユーザのウェスト方向に供するために座部３０の中央領域３２の外側に位置されている。
【００２５】
次に図５および６に移るが、Ｏリング４４をベース部２０の下端２８に沿って取り付けた状態の、ベース部２０の開放下部を見て取ることができる。電気モータ５０が、概してベース部２０の中間部２４内に配置されていることが見て取れる。ベース部２０の内部表面４７からは支持アーム４６が延び、モータ装架ブラケット５６を支持している。電気モータ５０はブラケット５６の上に装架されている。電気モータ５０の軸５２はファン５４を回転させ、空気流路４０、４２を通ってベース部へと空気が引き込まれ空気吹き出し口３４、３６を通ってベース部から排出されるようにと空気流は上方へ方向づけられる。
【００２６】
床面に対して気密を形成するためＯリング４４を使用している開放下部２９の代わりに、椅子型体毛および足乾燥装置１０の下部を閉鎖しＯリング４４を不要としてもよい。しかしながら、開放下部２９の場合、椅子型体毛および足乾燥装置１０を床暖房通風口の上において、熱風源を供してもよい。別の態様においては、電動ファンを排除して、椅子型体毛および足乾燥装置１０を床の通風口から排出される空気にのみ頼るものとしてもよく、空気は開放下部２９を通って椅子型体毛および足乾燥装置１０の中空内部に流入し、空気吹き出し口３４、３６および空気流路４０、４２から排出される。
【００２７】
本発明は上述の態様に限定されるものではなく、以下の請求項の範囲内の全ての態様を含むものであることが理解される。
【図面の簡単な説明】
【００２８】
【図１】本発明の椅子型体毛よび足乾燥装置の全体斜視図である。
【図２】図１の椅子型体毛および足乾燥装置の前面図である。
【図３】図１の椅子型体毛および足乾燥装置の側面図である。
【図４】図１の椅子型体毛および足乾燥装置の上面図である。
【図５】図１の椅子型体毛および足乾燥装置の下面図である。
【図６】図１の椅子型体毛および足乾燥装置の前方断面図である。添付の図面全てを通し、同様の参照符号は一貫して対応する特徴を示すものとする。
【図１】
2008513104.tif 000003
【図２】
2008513104.tif 000004
【図３】
2008513104.tif 000005
【図４】
2008513104.tif 000006
【図５】
2008513104.tif 000007
【図６】
2008513104.tif 000008
【国際調査報告】
2008513104.tif 000009
2008513104.tif 000010